(57)【要約】【課題】魚がルアーを後方から追い食いしたときの針掛かりを向上させることができるルアーを提供することを課題とする。【解決手段】ルアー１であって、前部に釣糸係止部１１が設けられたルアー本体１０と、ルアー本体１０の後端部に軸部３１の一端部が揺動自在に連結された後側釣針３０と、後側釣針３０の軸部３１の他端部に連結された水流抵抗部材４０と、を備え、ルアー本体１０を前方に向けて遊泳させたときに、水流抵抗部材４０に生じる水流抵抗によって、後側釣針３０がルアー本体１０の前後方向の軸線の延長上に沿って配置される。【選択図】図１
2011135807.tif 000002
【特許請求の範囲】
【請求項１】
前部に釣糸係止部が設けられたルアー本体と、
前記ルアー本体の後端部に軸部の一端部が揺動自在に連結された釣針と、
前記釣針の軸部の他端部に連結された水流抵抗部材と、を備え、
前記ルアー本体を前方に向けて遊泳させたときに、前記水流抵抗部材に生じる水流抵抗によって、前記釣針が前記ルアー本体の前後方向の軸線の延長上に沿って配置されることを特徴とするルアー。
【請求項２】
前記水流抵抗部材は、前記釣針に対して回転自在に取り付けられていることを特徴とする請求項１に記載のルアー。
【請求項３】
前記水流抵抗部材に浮力が付与されていることを特徴とする請求項２に記載のルアー。
【請求項４】
前記釣針の前記軸部の他端部には、複数の前記水流抵抗部材が前記軸部の軸線の延長上に並べて連結されていることを特徴とする請求項１から請求項３のいずれか一項に記載のルアー。
【発明の詳細な説明】
【技術分野】
【０００１】
本発明は、魚釣り用のルアーに関する。
【背景技術】
【０００２】
魚釣り用のルアーとしては、魚の形状に似せたルアー本体を有し、ルアー本体の頭部に釣糸係止部が設けられるとともに、ルアー本体の腹部および尾部に釣針が揺動自在に取り付けられているものがある（例えば、特許文献１参照）。
【先行技術文献】
【特許文献】
【０００３】
【特許文献１】特開２００９−１３１２１４号公報
【発明の概要】
【発明が解決しようとする課題】
【０００４】
前記したルアーでは、魚がルアーを後方から追い食いしたときに、釣針の針部がルアーの進行方向に対して大きく傾斜していると、魚に対する針掛かりが不十分になる。そこで、本発明では、魚がルアーを後方から追い食いしたときの針掛かりを向上させることができるルアーを提供することを課題とする。
【課題を解決するための手段】
【０００５】
前記課題を解決するため、本発明は、ルアーであって、前部に釣糸係止部が設けられたルアー本体と、前記ルアー本体の後端部に軸部の一端部が揺動自在に連結された釣針と、前記釣針の軸部の他端部に連結された水流抵抗部材と、を備え、前記ルアー本体を前方に向けて遊泳させたときに、前記水流抵抗部材に生じる水流抵抗によって、前記釣針が前記ルアー本体の前後方向の軸線の延長上に沿って配置されることを特徴としている。
なお、ルアー本体の前部は、ルアーを遊泳させたときに前側に配置される部位であり、ルアー本体の後部は、ルアーを遊泳させたときに前部の反対側に配置される部位である。
【０００６】
この構成では、リトリーブなどによってルアーを前方に向けて遊泳させたときに、水流抵抗が生じた水流抵抗部材から釣針の針部に対して進行方向の反対側に引張力が作用することで、釣針がルアー本体の前後方向の軸線の延長上に沿って配置される。すなわち、前方に向けて遊泳させたルアー本体の後方に釣針が配置される。
なお、釣針がルアー本体の軸線の延長上に沿って配置された状態とは、釣針の軸部がルアー本体の軸線の延長上に配置された状態の他に、釣針の軸部がルアー本体の軸線の延長上の近傍に配置された状態を含むものである。
【０００７】
前記したルアーにおいて、前記水流抵抗部材を前記釣針に対して回転自在に取り付けることで、ルアーを遊泳させたときに、水流抵抗部材が回転するように構成してもよい。
【０００８】
前記したルアーにおいて、前記水流抵抗部材に浮力を付与することで、水流抵抗部材をルアー本体の後方に浮かせるように構成してもよい。
【０００９】
前記したルアーにおいて、前記釣針の前記軸部の他端部に、複数の前記水流抵抗部材を前記軸部の軸線の延長上に並べて連結させた構成としてもよい。この構成では、複数の水流抵抗部材に生じる水流抵抗によって、釣針がルアー本体の軸線の延長上に配置されるため、釣針の最大幅に対して各水流抵抗部材を小さく形成することができる。
【発明の効果】
【００１０】
本発明では、リトリーブなどによってルアーを遊泳させたときに、釣針がルアー本体の前後方向の軸線の延長上に沿って配置され、ルアー本体の後方に釣針が配置されるため、魚がルアーを後方から追い食いしたときの針掛かりを向上させることができる。
また、ルアーを遊泳させたときに、水流抵抗部材が回転する構成では、水流抵抗部材の回転が釣針やルアー本体に伝わり難いため、ルアー本体の姿勢を安定させることができ、ルアー本体がぶれ難くなっている。また、水流抵抗部材が回転することで、集魚効果を高めることができる。
また、水流抵抗部材に浮力を付与して、水流抵抗部材をルアー本体の後方に浮かせる構成では、釣針をルアー本体の後方に確実に配置することができる。
また、複数の水流抵抗部材を並べて連結させた構成では、釣針の最大幅に対して各水流抵抗部材を小さく形成することができるため、魚がルアーを後方から追い食いするときに水流抵抗部材の影響を低減させることができる。
【図面の簡単な説明】
【００１１】
【図１】本実施形態のルアーを示した図で、（ａ）はルアーの側面図、（ｂ）はルアーを遊泳させたときの側面図である。
【図２】本実施形態のルアーにおける釣針と水流抵抗部材との連結部位を示した拡大側面図である。
【図３】他の実施形態の水流抵抗部材を示した図で、（ａ）は水流抵抗部材が回転しない構成の側面図、（ｂ）は水流抵抗部材が球体である場合の側面図、（ｃ）は複数の水流抵抗部材が設けられている構成の側面図、（ｄ）は水流抵抗部材がプロペラ形状である場合の側面図、（ｅ）は水流抵抗部材が湾曲した板状の部材である構成の斜視図である。
【発明を実施するための形態】
【００１２】
次に、本発明の実施形態について、適宜図面を参照しながら詳細に説明する。
本実施形態のルアー１は、図１（ａ）に示すように、ルアー本体１０と、ルアー本体１０に揺動自在に連結された腹側釣針２０および後側釣針３０と、後側釣針３０に連結された水流抵抗部材４０と、を備えている。
なお、以下の説明において前後方向とは、ルアー１を遊泳させたときの進行方向を基準としており、ルアー１の前部は、ルアー１を遊泳させたときに前側に配置される部位であり、ルアー１の後部は、ルアー１を遊泳させたときに前部の反対側に配置される部位である。
【００１３】
ルアー本体１０は、魚に似せて形成されており、前部に頭部が形成され、後部は尾部側に向かうに連れて細く絞られている。ルアー本体１０は、例えば、ＡＢＳ樹脂、ポリカーボネート、塩化ビニルなどの合成樹脂材料によって形成されている。
【００１４】
ルアー本体１０の前端部には、リング状の釣糸係止部１１が設けられている。この釣糸係止部１１には釣糸２（図１（ｂ）参照）が結ばれる。
また、ルアー本体１０の腹部および後端部には、腹側釣針２０および後側釣針３０が設けられている。ルアー本体１０の腹部に設けられたリング状の腹側連結部１２には、腹側釣針２０が連結されている。また、ルアー本体１０の後端部に設けられたリング状の後側連結部１３には、後側釣針３０が連結される。
【００１５】
腹側釣針２０は、軸部２１の基端部（図１（ａ）において上側の端部）が連結リング２２を介して腹側連結部１２に揺動自在に連結され、軸部２１の先端部（図１（ａ）において下側の端部）には、基端部側に湾曲させた複数の針部２３が分岐して形成されている。
【００１６】
後側釣針３０は、軸部３１の基端部（図１（ａ）において上側の端部）が連結リング３２を介して後側連結部１３に揺動自在に連結され、軸部３１の先端部（図１（ａ）において下側の端部）には、基端部側に湾曲させた複数の針部３３が分岐して形成されている。また、軸部３１の先端部には、後記する水流抵抗部材４０を連結するための回転連結部３４が形成されている。
【００１７】
回転連結部３４は、図２に示すように、軸部３１の先端部（図２における右側の端部）から軸部３１の軸線方向に突出した軸受け部３４ａと、軸受け部３４ａに連結された回転部３４ｂと、を備え、回転部３４ｂが軸部３１の軸線の延長線上で軸回りに回転自在となっている。回転部３４ｂには後記する連結リング４２が取り付けられる孔部が形成されている。
【００１８】
水流抵抗部材４０は、側面視で略楕円形状に形成された金属製の薄板であり、全体的に緩やかに湾曲している。水流抵抗部材４０において釣針３０の軸部３１の軸線方向に直交する方向の最大幅を、釣針３０の軸部３１の太さ寸法よりも大きく形成することで、ルアー本体１０を前方に向けて遊泳させたときに、後側釣針３０よりも大きい水流抵抗が生じるように形成されている。
水流抵抗部材４０の長手方向の前端部には連結孔４１が形成されており、連結孔４１が連結リング４２を介して後側釣針３０の回転部３４ｂに連結されている。このようにして、水流抵抗部材４０は、後側釣針３０の軸部３１の軸線の延長上で軸回りに回転自在に連結されている。
なお、水流抵抗部材４０の最大幅は、後側釣針３０において軸部３１の軸線方向に直交する方向の最大幅よりも小さく形成されている。これにより、魚がルアー１を後方から追い食いするときに、水流抵抗部材４０に影響されることなく、後側釣針３０に食い付かせることができる。
【００１９】
以上のように構成されたルアー１では、図１（ｂ）に示すように、ルアー本体１０の釣糸係止部１１に釣糸２を取り付けてルアー１を水中に沈下させ、リトリーブなどによってルアー１を前方に向けて遊泳させると、水流抵抗部材４０に前方から後方に向けて水流抵抗が生じる。
そして、水流抵抗が生じた水流抵抗部材４０から後側釣針３０に対して進行方向の反対側に引張力が作用することで、後側釣針３０はルアー本体１０に対して垂れ下がった状態（図１（ａ）の状態）から水流に沿って各針部３３が上方に浮き上がり、後側釣針３０がルアー本体１０の前後方向の軸線の延長上に沿って配置される。すなわち、前方に向けて遊泳させたルアー本体１０の後端部の後方に、後側釣針３０の各針部３３および水流抵抗部材４０が略直線状に配置される。
【００２０】
したがって、本実施形態のルアー１では、ルアー１を遊泳させたときに、後側釣針３０がルアー本体１０の前後方向の軸線の延長上に沿って配置され、ルアー本体１０の後方に後側釣針３０が配置されるため、魚がルアーを後方から追い食いしたときの針掛かりを向上させることができる。
また、ルアー本体１０、後側釣針３０および水流抵抗部材４０がルアー本体１０の前後方向の軸線の延長上に沿って配置されることで、水流抵抗部材４０が魚の尾部に似た動きとなるため、集魚効果を高めることができる。
また、水流の抵抗を受けた水流抵抗部材４０が長手方向の軸回りに回転することで、集魚効果を高めることができる。なお、後側釣針３０の回転連結部３４を境として、水流抵抗部材４０の回転が後側釣針３０やルアー本体１０に伝わり難いため、ルアー本体１０の姿勢を安定させることができ、ルアー本体１０がぶれ難くなっている。
【００２１】
以上、本発明の実施形態について説明したが、本発明は前記実施形態に限定されることなく、その趣旨を逸脱しない範囲で適宜に変更が可能である。
【００２２】
例えば、本実施形態では、図２に示すように、水流抵抗部材４０を後側釣針３０に対して回転自在に連結しているが、図３（ａ）に示すように、後側釣針３０に設けられた連結部３５に対して水流抵抗部材４０が回転しないように連結することもできる。この構成では、後側釣針３０と水流抵抗部材４０との位置関係が安定するため、魚の針掛かりを向上させることができる。
【００２３】
また、本実施形態では、図２に示すように、金属製の薄板である水流抵抗部材４０を用いているが、図３（ｂ）に示すように、樹脂製や金属製の球体である水流抵抗部材４０Ａを後側釣針３０に連結することもできる。
また、図３（ｃ）に示すように、複数の水流抵抗部材４０Ｂを後側釣針３０の軸部３１の軸線の延長上に並べて連結させた構成では、後側釣針３０の最大幅（軸部３１の軸線に直交する方向の最大幅）に対して、各水流抵抗部材４０Ｂを小さく形成することができるため、魚がルアーを後方から追い食いするときに、水流抵抗部材４０Ｂの影響を低減させることができる。
なお、連結する水流抵抗部材の個数は限定されるものではない。また、各水流抵抗部材の形状も限定されるものではなく、図３（ａ）に示すような板状の水流抵抗部材を複数連結してもよく、さらには、異なる形状の水流抵抗部材を連結してもよい。
【００２４】
また、図３（ｄ）に示すように、プロペラ形状の水流抵抗部材４０Ｃを後側釣針３０に連結し、水流抵抗によって水流抵抗部材４０Ｃを積極的に回転させることもできる。このように、水流抵抗部材４０Ｃを積極的に回転させて、水流抵抗部材４０Ｃをルアー本体の後方に位置させる構成では、後側釣針３０をルアー本体の前後方向の軸線の延長上に確実に配置することができる。
また、図３（ｅ）に示すように、前後方向に湾曲させた板状の水流抵抗部材４０Ｄを用いることで、水中における水流抵抗部材４０Ｄの回転性を向上させることもできる。
【００２５】
また、図３（ｂ）および（ｃ）に示すような球体や箱体などの水流抵抗部材４０Ａ，４０Ｂを合成樹脂（例えばポリエチレン樹脂）や木材などの比重が１以下の部材によって形成したり、中空に形成したりすることで、水流抵抗部材に浮力を付与してもよい。また、図３（ａ）や（ｅ）に示すような板状の水流抵抗部材４０，４０Ｄを比重が１以下の部材によって形成することで、水流抵抗部材４０，４０Ｄに浮力を付与してもよい。このように、水流抵抗部材に対して浮力を付与して、水流抵抗部材をルアー本体の後方に浮かせることで、後側釣針３０をルアー本体の後方に確実に配置することができる。
【００２６】
前記したように、水流抵抗部材の形状や材質は限定されるものではない。さらに、水流抵抗部材４０を蛍光塗料などで着色して集魚効果を高めてもよい。
【００２７】
なお、対象魚が大型である場合には、図１（ｂ）に示すルアー本体１０の後端部に複数個の後側釣針３０を連結し、その後方に水流抵抗部材４０を配置してもよい。この構成では、一方の後側釣針３０と他方の後側釣針３０との間に水流抵抗部材４０を配置してもよい。
【符号の説明】
【００２８】
１      ルアー
２      釣糸
１０    ルアー本体
１１    釣糸係止部
１２    腹側連結部
１３    後側連結部
２０    腹側釣針
２１    軸部（腹側釣針）
２２    連結リング（腹側釣針）
２３    針部（腹側釣針）
３０    後側釣針
３１    軸部（後側釣針）
３２    連結リング（後側釣針）
３３    針部（後側釣針）
３４    回転連結部
３４ａ  軸受け部
３４ｂ  回転部
４０    水流抵抗部材
４１    連結孔
４２    連結リング
【図１】
2011135807.tif 000003
【図２】
2011135807.tif 000004
【図３】
2011135807.tif 000005